(57)【要約】    【課題】      電話を取る前に宛先となるユーザを識別すること。    【解決手段】  ＩＰ網１０６に接続され親子電話の親機として機能するＩＰ電話１０２（１０１）と、ＩＰ電話１０２（１０１）に割り当てられた電話番号に対応する着信音情報を登録するＷｅｂサーバ１０５と、Ｗｅｂサーバ１０５に登録された着信音情報へのリンク情報がＵＲＩに指定されたＮＡＰＴＲレコードを登録するＥＮＵＭサーバ１０３と、を備えるＩＰ電話システムにおいて、着信を受けたＩＰ電話１０２は、着信対象の電話番号に応じてＮＡＰＴＲレコードをＥＮＵＭサーバ１０３に問い合わせ、返送されたＮＡＰＴＲリソースレコードに応じて着信対象の電話番号に対応する着信音情報をＷｅｂサーバ１０５に要求し、返送された着信音情報に応じて着信音を装置本体及びこれに接続される子機１０７〜１０９で鳴動する。  【選択図】      図１
2006050268.tif 000002
【特許請求の範囲】
【請求項１】
ＩＰネットワークに接続され親子電話の親機として機能するＩＰ電話装置と、前記ＩＰ電話装置に割り当てられた電話番号に対応する着信音情報を登録し前記ＩＰ電話装置からの要求に応じて当該着信音情報を応答するＷｅｂサーバと、前記Ｗｅｂサーバに登録された着信音情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する着信音情報を前記Ｗｅｂサーバに要求し、返送された着信音情報に応じて着信音を装置本体及びこれに接続される子機で鳴動することを特徴とするＩＰ電話システム。
【請求項２】
前記ＥＮＵＭサーバに登録されたＮＡＰＴＲリソースレコードにはｈｔｔｐプロトコルが設定され、前記着信を受けたＩＰ電話装置は、ｈｔｔｐプロトコルに従って前記着信対象の電話番号に対応する着信音情報を前記Ｗｅｂサーバに要求することを特徴とする請求項１記載のＩＰ電話システム。
【請求項３】
前記着信を受けたＩＰ電話装置は、受信したＩＮＶＩＴＥメッセージの記述に基づいて前記着信対象の電話番号を取得することを特徴とする請求項１記載のＩＰ電話システム。
【請求項４】
ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードに応じて前記着信対象の電話番号に対応する着信音情報を前記Ｗｅｂサーバに要求する要求手段と、返送された着信音情報を接続される子機に送出する送出手段と、前記返送された着信音情報に応じて着信音を鳴動する鳴動手段と、を具備することを特徴とするＩＰ電話装置。
【請求項５】
前記要求手段は、前記ＥＮＵＭサーバに登録されたＮＡＰＴＲリソースレコードに設定されたｈｔｔｐプロトコルに従って前記着信対象の電話番号に対応する着信音情報を前記Ｗｅｂサーバに要求することを特徴とする請求項４記載のＩＰ電話装置。
【請求項６】
前記問合せ手段は、前記他のＩＰ電話装置から受信したＩＮＶＩＴＥメッセージの記述に基づいて取得した前記着信対象の電話番号に応じてＮＡＰＴＲリソースレコードを問い合わせることを特徴とする請求項４記載のＩＰ電話装置。
【請求項７】
ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置を用いた宛先ユーザ識別方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する着信音情報を前記Ｗｅｂサーバに要求し、返送された着信音情報に応じて着信音を装置本体及びこれに接続される子機で鳴動することを特徴とする宛先ユーザ識別方法。
【請求項８】
前記ＥＮＵＭサーバに登録されたＮＡＰＴＲリソースレコードに設定されたｈｔｔｐプロトコルに従って前記着信対象の電話番号に対応する着信音情報を前記Ｗｅｂサーバに要求することを特徴とする請求項７記載の宛先ユーザ識別方法。
【請求項９】
前記他のＩＰ電話装置から受信したＩＮＶＩＴＥメッセージの記述に基づいて前記着信対象の電話番号を取得することを特徴とする請求項７記載の宛先ユーザ識別方法。
【請求項１０】
自端末に割り当てられた電話番号に対応するＵＲＩ及び着信音情報を登録し親子電話の親機として機能するＩＰ電話装置と、前記ＩＰ電話装置に割り当てられた電話番号に対応するＵＲＩが指定されたＮＡＰＴＲリソースレコードを登録し前記ＩＰ電話装置の問合せに応じてＮＡＰＴＲリソースレコードを返送するＥＮＵＭサーバと、を具備するＩＰ電話システムであって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する着信音情報を取得し、前記着信音情報に応じて着信音を装置本体及びこれに接続される子機で鳴動することを特徴とするＩＰ電話システム。
【請求項１１】
ＩＰネットワーク上のＩＰ電話装置に割り当てられた電話番号に対応するＵＲＩが指定されたＮＡＰＴＲリソースレコードを登録するＥＮＵＭサーバに接続され、自端末に割り当てられた電話番号に対応するＵＲＩ及び着信音情報を登録し親子電話の親機として機能するＩＰ電話装置を用いた宛先ユーザ識別方法であって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する着信音情報を取得し、前記着信音情報に応じて着信音を装置本体及びこれに接続される子機で鳴動することを特徴とする宛先ユーザ識別方法。
【発明の詳細な説明】
【技術分野】
【０００１】
本発明は、ＩＰ電話システム、ＩＰ電話装置及び宛先ユーザ識別方法に関する。
【背景技術】
【０００２】
近年、インターネットの急速な普及に伴い、遠隔地の電話装置と低料金での通話や登録会員の有するＩＰ電話装置間における無料通話が可能であるＩＰ電話システムが注目されている。このようなＩＰ電話システムにおいて、ユーザの利便性の向上を目的として着信時の画面表示や着信音を発信側から指定することができるＩＰ電話システムが提案されている（例えば、特許文献１参照）。
【０００３】
一方、現在、多様化する電話、ＦＡＸ、携帯電話や電子メールなどの通信手段に用いられる情報を効率的に管理し、使用環境に応じたコミュニケーションを可能とする技術として、ＥＮＵＭが注目されている。ＥＮＵＭは、Ｅ．１６４番号に代表される全世界で唯一の識別番号からＤＮＳ（Domain Name System）を用いてインターネット上のサービスを識別する仕組みである。現在、ＩＥＴＦにより標準化活動が行われており、当該活動においてプロトコル仕様が審議されている（例えば、非特許文献１参照）。
【特許文献１】特開２００３−１８８９９２号公報
【非特許文献１】ＥＮＵＭトライアルジャパン発行「ＥＮＵＭトライアルジャパン第一次報告書」、２００４年５月
【発明の開示】
【発明が解決しようとする課題】
【０００４】
しかしながら、上記従来のＩＰ電話システムにおいては、発信者に対応した着信時の画面表示や着信音などを発信側で指定することができるのみであり、着信側の使用環境等に応じた動作を指定することはできない。
【０００５】
一般に、家庭や企業内に設置されたＩＰ電話装置は、複数のユーザにより共用される。共用されるＩＰ電話装置においては、異なるユーザ宛てにかかってきた電話を取ったユーザは、その異なるユーザを呼び出して電話を取り次ぐ作業が必要となる。このような使用環境においては、電話を取る前に宛先となるユーザを識別することができれば、電話を取り次ぐ作業を省略することができ、ユーザの利便性が向上するといえる。
【０００６】
本発明は、このような実情に鑑みて為されたものであり、電話を取る前に宛先となるユーザを識別することができるＩＰ電話システム、ＩＰ電話装置及び宛先ユーザ識別方法を提供することを目的とする。
【課題を解決するための手段】
【０００７】
本発明は、ＩＰネットワークに接続され親子電話の親機として機能するＩＰ電話装置と、ＩＰ電話装置に割り当てられた電話番号に対応する着信音情報を登録するＷｅｂサーバと、Ｗｅｂサーバに登録された着信音情報へのリンク情報がＵＲＩに指定されたＮＡＰＴＲリソースレコードを登録するＥＮＵＭサーバと、を具備するＩＰ電話システムにおいて、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードに応じて着信対象の電話番号に対応する着信音情報をＷｅｂサーバに要求し、返送された着信音情報に応じて着信音を装置本体及びこれに接続される子機で鳴動するようにしたものである。
【発明の効果】
【０００８】
本発明に係るＩＰ電話システム、ＩＰ電話装置及び宛先ユーザ識別方法によれば、電話を取る前に宛先となるユーザを識別することができる。
【発明を実施するための最良の形態】
【０００９】
本発明の第１の態様に係るＩＰ電話システムは、ＩＰネットワークに接続され親子電話の親機として機能するＩＰ電話装置と、前記ＩＰ電話装置に割り当てられた電話番号に対応する着信音情報を登録し前記ＩＰ電話装置からの要求に応じて当該着信音情報を応答するＷｅｂサーバと、前記Ｗｅｂサーバに登録された着信音情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する着信音情報を前記Ｗｅｂサーバに要求し、返送された着信音情報に応じて着信音を装置本体及びこれに接続される子機で鳴動する構成を採る。
【００１０】
この構成によれば、着信を受けたＩＰ電話装置において、着信対象の電話番号に応じた着信音情報をＷｅｂサーバから取得し、その着信音情報に応じて着信音を装置本体及びこれに接続される子機で鳴動する。このため、着信を受けたＩＰ電話装置のユーザは、その着信音を判断して宛先となるユーザを識別することができるので、電話を取る前に宛先となるユーザを識別することができる。
【００１１】
本発明の第２の態様は、第１の態様に係るＩＰ電話システムにおいて、前記ＥＮＵＭサーバに登録されたＮＡＰＴＲリソースレコードにはｈｔｔｐプロトコルが設定され、前記着信を受けたＩＰ電話装置は、ｈｔｔｐプロトコルに従って前記着信対象の電話番号に対応する着信音情報を前記Ｗｅｂサーバに要求する構成を採る。
【００１２】
この構成によれば、着信を受けたＩＰ電話からの要求に応じて、ｈｔｔｐプロトコルに従って着信音情報がＷｅｂサーバから応答される。したがって、ｈｔｔｐプロトコルに従って通信制御を行うことで着信音情報を取得することができる。
【００１３】
本発明の第３の態様は、第１の態様に係るＩＰ電話システムにおいて、前記着信を受けたＩＰ電話装置は、受信したＩＮＶＩＴＥメッセージの記述に基づいて前記着信対象の電話番号を取得する構成を採る。
【００１４】
この構成によれば、着信を受けたＩＰ電話は、受信したＩＮＶＩＴＥメッセージの記述に基づいて着信対象番号を取得する。このため、ＳＩＰプロトコルに従った通信制御を行う過程で着信対象番号を取得することができる。
【００１５】
本発明の第４の態様に係るＩＰ電話装置は、ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードに応じて前記着信対象の電話番号に対応する着信音情報を前記Ｗｅｂサーバに要求する要求手段と、返送された着信音情報を接続される子機に送出する送出手段と、前記返送された着信音情報に応じて着信音を鳴動する鳴動手段と、を具備する構成を採る。
【００１６】
この構成によれば、ＩＰネットワーク上の他のＩＰ電話装置から着信を受けると、着信側のＩＰ電話装置において、着信対象の電話番号に応じてＷｅｂサーバから返送された着信音情報に応じて着信音を装置本体及びこれに接続される子機で鳴動する。このため、着信側のＩＰ電話装置のユーザは、その着信音を判断して宛先となるユーザを識別することができるので、電話を取る前に宛先となるユーザを識別することができる。
【００１７】
本発明の第５の態様は、第４の態様に係るＩＰ電話装置において、前記要求手段は、前記ＥＮＵＭサーバに登録されたＮＡＰＴＲリソースレコードに設定されたｈｔｔｐプロトコルに従って前記着信対象の電話番号に対応する着信音情報を前記Ｗｅｂサーバに要求する構成を採る。
【００１８】
この構成によれば、着信側のＩＰ電話装置からの要求に応じて、ｈｔｔｐプロトコルに従って着信対象の電話番号に対応する着信音情報がＷｅｂサーバから応答される。したがって、ｈｔｔｐプロトコルに従って通信制御を行うことで着信対象の電話番号に対応する着信音情報を取得することができる。
【００１９】
本発明の第６の態様は、第４の態様に係るＩＰ電話装置において、前記問合せ手段は、前記他のＩＰ電話装置から受信したＩＮＶＩＴＥメッセージの記述に基づいて取得した前記着信対象の電話番号に応じてＮＡＰＴＲリソースレコードを問い合わせる構成を採る。
【００２０】
この構成によれば、着信側のＩＰ電話装置において、受信したＩＮＶＩＴＥメッセージの記述に基づいて着信対象の電話番号が取得されるので、ＳＩＰプロトコルに従った通信制御を行う過程で着信対象の電話番号を取得することができる。
【００２１】
本発明の第７の態様に係る宛先ユーザ識別方法は、ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置を用いた宛先ユーザ識別方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する着信音情報を前記Ｗｅｂサーバに要求し、返送された着信音情報に応じて着信音を装置本体及びこれに接続される子機で鳴動するものである。
【００２２】
本発明の第８の態様は、第７の態様に係る宛先ユーザ識別方法において、前記ＥＮＵＭサーバに登録されたＮＡＰＴＲリソースレコードに設定されたｈｔｔｐプロトコルに従って前記着信対象の電話番号に対応する着信音情報を前記Ｗｅｂサーバに要求するものである。
【００２３】
本発明の第９の態様は、第７の態様に係る宛先ユーザ識別方法において、前記他のＩＰ電話装置から受信したＩＮＶＩＴＥメッセージの記述に基づいて前記着信対象の電話番号を取得するものである。
【００２４】
本発明の第１０の態様に係るＩＰ電話システムは、自端末に割り当てられた電話番号に対応するＵＲＩ及び着信音情報を登録し親子電話の親機として機能するＩＰ電話装置と、前記ＩＰ電話装置に割り当てられた電話番号に対応するＵＲＩが指定されたＮＡＰＴＲリソースレコードを登録し前記ＩＰ電話装置の問合せに応じてＮＡＰＴＲリソースレコードを返送するＥＮＵＭサーバと、を具備するＩＰ電話システムであって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する着信音情報を取得し、前記着信音情報に応じて着信音を装置本体及びこれに接続される子機で鳴動する構成を採る。
【００２５】
この構成によれば、着信側のＩＰ電話装置において、発信側のＩＰ電話が指定した電話番号に応じた着信音を装置本体及びこれに接続される子機で鳴動する。このため、着信側のＩＰ電話装置のユーザは、着信音を判断して宛先となるユーザを識別することができるので、電話を取る前に宛先となるユーザを識別することができる。
【００２６】
本発明の第１１の態様に係る宛先ユーザ識別方法は、ＩＰネットワーク上のＩＰ電話装置に割り当てられた電話番号に対応するＵＲＩが指定されたＮＡＰＴＲリソースレコードを登録するＥＮＵＭサーバに接続され、自端末に割り当てられた電話番号に対応するＵＲＩ及び着信音情報を登録し親子電話の親機として機能するＩＰ電話装置を用いた宛先ユーザ識別方法であって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する着信音情報を取得し、前記着信音情報に応じて着信音を装置本体及びこれに接続される子機で鳴動するものである。
【００２７】
以下、本発明の実施の形態について図面を参照して詳細に説明する。
【００２８】
図１は、本発明の一実施の形態に係るＩＰ電話システムが適用されるネットワークの構成を示す図である。
【００２９】
同図に示すように、実施の形態に係るＩＰ電話システムにおいては、複数台のＩＰ電話装置（以下、「ＩＰ電話」という）１０１及び１０２、ＥＮＵＭサーバ１０３、ＤＮＳサーバ１０４及びＷｅｂサーバ１０５がＩＰ網１０６を介して接続されている。なお、同図の構成に限らず、ＩＰ網１０６上に３台以上のＩＰ電話を接続してＩＰ電話システムを構成してもよい。
【００３０】
ＩＰ電話１０１（１０２）は、ＩＰ網１０６を介して他のＩＰ電話との間で音声通話が可能な機能を有している。また、ｈｔｔｐプロトコルに従ってＷｅｂサーバ１０５にアクセスし、Ｗｅｂサーバ１０５が提供するＨＴＭＬ文書を閲覧可能なブラウザ機能を有している。
【００３１】
特に、ＩＰ電話１０２は、複数のユーザにより共用されるものとする。各ユーザに対応する電話番号がＩＰ電話１０２に割り当てられているものとする。以下においては、ＩＰ電話１０２が３人のユーザに共用される場合について説明する。
【００３２】
また、ＩＰ電話１０２には複数の子機が接続されている。ＩＰ電話１０２は、それらの親機として機能する。同図においては、３台の子機１０７〜１０９が接続された場合について示している。親機としてのＩＰ電話１０２と子機１０７〜１０９との間は有線又は無線で接続されている。ＩＰ電話１０２と子機１０７〜１０９との間の通信はどのような方式を採用してもよい。以下においては、特に無線で接続されている場合について示す。それらの間の無線通信は、例えば、ＩＥＥＥ８０２．１１ｂやＢｌｕｅｔｏｏｔｈに準拠して行われるものとする。
【００３３】
ＥＮＵＭサーバ１０３は、後述するＮＡＰＴＲリソースレコード（以下、「ＮＡＰＴＲレコード」という）を登録するデータベース（ＤＢ）を備える。ＥＮＵＭサーバ１０３は、ＩＰ電話１０１（１０２）からの問合せに応じて、かかるＤＢに登録されたＮＡＰＴＲレコードをＩＰ電話１０１（１０２）に返送する。
【００３４】
ＤＮＳサーバ１０４は、ＮＡＰＴＲレコードに指定されるＵＲＩとＩＰアドレスとが対応付けて登録されるＤＢを備える。ＤＮＳサーバ１０４は、ＩＰ電話１０１（１０２）の問合せに応じて、かかるＤＢに登録されたＩＰアドレスをＩＰ電話１０１（１０２）に返送する。
【００３５】
Ｗｅｂサーバ１０５は、ＩＰ網１０６に接続されたＩＰ電話１０１（１０２）に割り当てられた各電話番号に対応する着信音を特定するための情報（以下、「着信音情報」という）が登録されるＤＢを備える。ＤＢに登録される着信音情報は、例えば、ＩＰ電話１０１（１０２）のユーザによりＩＰ網１０６を介して登録される。なお、ユーザの申請に応じてＩＰ電話サービスの管理者が登録するようにしてもよい。Ｗｅｂサーバ１０５は、着信を受けたＩＰ電話１０１（１０２）からの要求に応じてＤＢに登録された着信音情報をＩＰ電話１０１（１０２）に返送する。
【００３６】
図２は、本実施の形態に係るＩＰ電話１０２の構成を示すブロック図である。なお、ＩＰ電話１０１についても、ＩＰ電話１０２と同様の構成を有する。
【００３７】
同図に示すＩＰ電話１０２は、装置全体の制御を行うＩＰ電話制御部２０１を備える。このＩＰ電話制御部２０１にバス２０２を介してＲＯＭ２０３、ＲＡＭ２０４及びＦＲＯＭ２０５が接続されている。また、ＩＰ電話制御部２０１にバス２０２を介して音声入出力部２０６、ＣＯＤＥＣ部２０７、外部インターフェース（Ｉ／Ｆ）部２０８及び子機インターフェース（Ｉ／Ｆ）部２０９が接続されている。
【００３８】
ＩＰ電話制御部２０１は、ＲＯＭ２０３に格納された制御プログラムを実行することで、以下に示す制御を実行する。その際、ＩＰ電話制御部２０１は、ＲＡＭ２０４をワークエリアとして利用する。
【００３９】
ＩＰ電話制御部２０１は、ＩＰ網１０６を介して音声通話を行う際に必要となる全ての動作を制御する。例えば、ＩＰ電話制御部２０１は、ＳＩＰやＨ．３２３に代表される呼制御プロトコルに従って、宛先端末との間の呼制御を実行する。
【００４０】
また、ＩＰ電話制御部２０１は、ＥＮＵＭサーバ１０３へ宛先端末に対応するＮＡＰＴＲレコードを問い合わせる処理やこの問合せに対する応答の受信処理の制御、並びに、ＤＮＳサーバ１０４へＩＰアドレスを問い合わせる処理やこの問合せに対する応答の受信処理の制御を行う。
【００４１】
さらに、ＩＰ電話制御部２０１は、Ｗｅｂサーバ１０５へのアクセス制御及びＷｅｂサーバ１０５が提供するＨＴＭＬ文書の閲覧制御を行う。
【００４２】
さらに、ＩＰ電話制御部２０１は、子機Ｉ／Ｆ部２０９を介して子機１０７〜１０９との間の通信制御を行う。ＩＰ電話制御部２０１は、例えば、ＩＥＥＥ８０２．１１ｂやＢｌｕｅｔｏｏｔｈに準拠して子機１０７〜１０９との間の通信制御を行う。
【００４３】
ＦＲＯＭ２０５は、本装置から発呼する場合に宛先を指定する際に用いられるアドレス帳データを格納する。また、複数の電話番号が割り当てられている場合に各電話番号と対応するＵＲＩが登録されたテーブルを格納する。
【００４４】
図３は、ＦＲＯＭ２０５に格納されるテーブルの一例を示す図である。同図においては、ＩＰ電話１０２に３つの電話番号が割り当てられた場合の一例について示している。同図に示すテーブルにおいては、電話番号「０５０１２３４１１１１」に対応してＵＲＩ「ｔａｒｏ＠ｔｏｋｙｏ．ｓｉｐ．ｊｐ」が登録されている。また、電話番号「０５０１２３４２２２２」に対応してＵＲＩ「ｈａｎａｋｏ＠ｔｏｋｙｏ．ｓｉｐ．ｊｐ」が登録されている。さらに、電話番号「０５０１２３４３３３３」に対応してＵＲＩ「ｊｉｒｏ＠ｔｏｋｙｏ．ｓｉｐ．ｊｐ」が登録されている。
【００４５】
音声入出力部２０６は、ＩＰ電話１０２のユーザからの音声を受け付けると共に、ユーザに対する音声を出力する。音声入出力部２０６においては、音声入力部がハンドセットマイクで構成され、音声出力部がスピーカで構成される。
【００４６】
ＣＯＤＥＣ部２０７は、音声入出力部２０６から入力されるアナログデータをデジタルデータに変換する処理を行う一方、ＩＰ網１０６から入力されるデジタルデータをアナログデータに変換する処理を行う。また、ＣＯＤＥＣ部２０７は、音声データの符号化及び圧縮伸長処理を行う。
【００４７】
外部Ｉ／Ｆ部２０８は、ＩＰ電話１０２が接続されるＩＰ網１０６とのインターフェースとして機能する。
【００４８】
子機Ｉ／Ｆ部２０９は、ＩＰ電話１０２が無線接続される子機１０７〜１０９とのインターフェースとして機能する。
【００４９】
図４は、本実施の形態に係るＩＰ電話１０２の外観を示す正面図である。なお、ＩＰ電話１０１についても、ＩＰ電話１０２と同様の構成を有する。
【００５０】
同図に示すように、ＩＰ電話１０２は、ユーザの音声を受け付ける受話器４０１を備えている。また、電話番号等を受け付けるテンキー４０２を備えている。さらに、テンキー４０２の右側に留守番電話に切り替える留守キー４０３及び音声を外部出力に切り替えるスピーカキー４０４を備えている。
【００５１】
テンキー４０２の上側にワンタッチで発信可能なワンタッチ機能に代表される各種機能が設定可能なファンクションキー４０５を備えている。ファンクションキー４０５の上側に、液晶ディスプレイ等で構成される表示部４０６が設けられている。表示部４０６には、例えば、本装置の現在の状態や宛先情報などが表示される。
【００５２】
図５は、本実施の形態に係るＩＰ電話システムにおけるＥＮＵＭサーバ１０３の代表的な構成を示すブロック図である。なお、本実施の形態に係るＩＰ電話システムにおけるＤＮＳサーバ１０４やＷｅｂサーバ１０５についても、ＤＢに登録されるデータの内容を除き、同様の構成を有する。
【００５３】
同図に示すように、ＥＮＵＭサーバ１０３は、サーバ本体の全体を制御するＣＰＵ５０１を備えている。このＣＰＵ５０１にメモリ５０２が接続されている。メモリ５０２は、ＣＰＵ５０１が読み込んで実行する本ＥＮＵＭサーバ１０３の制御プログラムが格納されるＲＯＭとしての機能と、ＣＰＵ５０１が制御プログラムを実行する際のワークメモリとして機能するＲＡＭとしての機能とを備える。
【００５４】
また、ＣＰＵ５０１にデータベース（ＤＢ）５０３が接続されている。ＤＢ５０３は、後述するＮＡＰＴＲレコードを登録している。ＣＰＵ５０１は、例えば、ＩＰ電話１０１からＮＡＰＴＲレコードの問合せを受け付けると、ＤＢ５０３に登録されたデータから該当するＮＡＰＴＲレコードを検索してＩＰ電話１０１に返送する。
【００５５】
さらに、ＣＰＵ５０１に入出力装置５０４が接続されている。入出力装置５０４は、例えば、キーボード等の入力装置と、ディスプレイ等の出力装置とから構成される。入力装置は、例えば、ＤＢ５０３に登録されるデータの内容を追加、編集する場合に利用される。出力装置は、例えば、ＤＢ５０３に登録されるデータの内容をＥＮＵＭサーバ１０３の管理者等が確認する場合に利用される。
【００５６】
さらに、ＣＰＵ５０１にネットワークインターフェース（Ｉ／Ｆ）５０５が接続されている。ネットワークＩ／Ｆ５０５は、本ＥＮＵＭサーバ１０３が接続されるＩＰ網１０６とのインターフェースである。
【００５７】
図６は、本実施の形態に係るＥＮＵＭサーバ１０３のＤＢ５０３に登録されたＮＡＰＴＲレコードの一例を示す図である。同図においては、電話番号「０５０１２３４１１１１」、「０５０１２３４２２２２」及び「０５０１２３４３３３３」から得られるドメイン名に対応するＮＡＰＴＲレコードが登録された場合について示している。
【００５８】
同図においては、電話番号「０５０１２３４１１１１」から得られるドメイン名「１．１．１．１．４．３．２．１．０．５．１．８．ｅ１６４．ａｒｐａ」に対してＵＲＩ「ｔａｒｏ＠ｔｏｋｙｏ．ｓｉｐ．ｊｐ」及び「／／ｗｗｗ．ｔｏｋｙｏ．ｓｉｐ．ｃｏｍ／ｕｓｅｒｔａｒｏ．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプロトコルに対応可能である旨を示す「Ｅ２Ｕ＋ｈｔｔｐ」と記述されている。
【００５９】
また、電話番号「０５０１２３４２２２２」から得られるドメイン名「２．２．２．２．４．３．２．１．０．５．１．８．ｅ１６４．ａｒｐａ」に対してＵＲＩ「ｈａｎａｋｏ＠ｔｏｋｙｏ．ｓｉｐ．ｊｐ」及び「／／ｗｗｗ．ｔｏｋｙｏ．ｓｉｐ．ｃｏｍ／ｕｓｅｒｈａｎａｋｏ．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプロトコルに対応可能である旨を示す「Ｅ２Ｕ＋ｈｔｔｐ」と記述されている。
【００６０】
さらに、電話番号「０５０１２３４３３３３」から得られるドメイン名「３．３．３．３．４．３．２．１．０．５．１．８．ｅ１６４．ａｒｐａ」に対してＵＲＩ「ｊｉｒｏ＠ｔｏｋｙｏ．ｓｉｐ．ｊｐ」及び「／／ｗｗｗ．ｔｏｋｙｏ．ｓｉｐ．ｃｏｍ／ｕｓｅｒｊｉｒｏ．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプロトコルに対応可能である旨を示す「Ｅ２Ｕ＋ｈｔｔｐ」と記述されている。
【００６１】
図７は、本実施の形態に係るＤＮＳサーバ１０４のＤＢに登録されたデータの一例を示す図である。
【００６２】
同図においては、ＵＲＩ「ｔａｒｏ＠ｔｏｋｙｏ．ｓｉｐ．ｊｐ」、「ｈａｎａｋｏ＠ｔｏｋｙｏ．ｓｉｐ．ｊｐ」、「ｊｉｒｏ＠ｔｏｋｙｏ．ｓｉｐ．ｊｐ」及び「ｙｏｓｈｉｋｏ＠ｔｏｋｙｏ．ｓｉｐ．ｊｐ」に対応するＩＰアドレスが登録されている場合について示している。具体的には、ＵＲＩ「ｔａｒｏ＠ｔｏｋｙｏ．ｓｉｐ．ｊｐ」、「ｈａｎａｋｏ＠ｔｏｋｙｏ．ｓｉｐ．ｊｐ」、「ｊｉｒｏ＠ｔｏｋｙｏ．ｓｉｐ．ｊｐ」及び「ｙｏｓｈｉｋｏ＠ｔｏｋｙｏ．ｓｉｐ．ｊｐ」にそれぞれＩＰアドレス「１９２．１６８．１．１」、「１９２．１６８．１．２」、「１９２．１６８．１．３」及び「１９２．１６８．１．４」が対応付けられている。
【００６３】
図８は、本実施の形態に係るＷｅｂサーバ１０５のＤＢに登録されたデータの一例を示す図である。なお、実際には同図に示す内容が例えば、ＨＴＭＬ（Hypertext Markup Language）を用いて記述されている。
【００６４】
同図においては、ＵＲＬ（ＵＲＩ）「／／ｗｗｗ．ｔｏｋｙｏ．ｓｉｐ．ｃｏｍ／ｕｓｅｒｔａｒｏ．ｈｔｍｌ」、「／／ｗｗｗ．ｔｏｋｙｏ．ｓｉｐ．ｃｏｍ／ｕｓｅｒｈａｎａｋｏ．ｈｔｍｌ」及び「／／ｗｗｗ．ｔｏｋｙｏ．ｓｉｐ．ｃｏｍ／ｕｓｅｒｊｉｒｏ．ｈｔｍｌ」に対応する電話番号、ユーザ名、着信音（着信メロディ）が登録されている場合について示している。具体的には、ＵＲＬ（ＵＲＩ）「／／ｗｗｗ．ｔｏｋｙｏ．ｓｉｐ．ｃｏｍ／ｕｓｅｒｔａｒｏ．ｈｔｍｌ」に対応して電話番号「０５０１２３４１１１１」、ユーザ名「ｔａｒｏ」及び着信メロディ「展覧会の絵」が登録されている。また、ＵＲＬ（ＵＲＩ）「／／ｗｗｗ．ｔｏｋｙｏ．ｓｉｐ．ｃｏｍ／ｕｓｅｒｈａｎａｋｏ．ｈｔｍｌ」に対応して電話番号「０５０１２３４２２２２」、ユーザ名「ｈａｎａｋｏ」及び着信メロディ「ポロネーズ」が登録されている。さらに、ＵＲＬ（ＵＲＩ）「／／ｗｗｗ．ｔｏｋｙｏ．ｓｉｐ．ｃｏｍ／ｕｓｅｒｊｉｒｏ．ｈｔｍｌ」に対応して電話番号「０５０１２３４３３３３」、ユーザ名「ｊｉｒｏ」及び着信メロディ「行進曲」が登録されている。
【００６５】
次に、本実施の形態に係るＩＰ電話システムにおいて、ＩＰ電話１０１がＩＰ電話１０２と通話を行うまでの動作について、図９に示すシーケンス図を用いて説明する。
【００６６】
なお、かかる動作を説明する前提として、ＥＮＵＭサーバ１０３のＤＢ３０３には図６に示すＮＡＰＴＲレコードが登録され、ＤＮＳサーバ１０４のＤＢには図７に示すデータが登録され、Ｗｅｂサーバ１０５のＤＢには図８に示すデータが登録されているものとする。また、ＩＰ電話１０２には、電話番号として「０５０１２３４１１１１」、「０５０１２３４２２２２」及び「０５０１２３４３３３３」が割り当てられているものとする。
【００６７】
ＩＰ電話１０２と通話を行う場合、まず、ＩＰ電話１０１は、ユーザからＩＰ電話１０２に割り当てられた電話番号のうち、いずれかの電話番号の入力を受け付ける。ここでは、ＩＰ電話１０２のうち、「０５０１２３４１１１１」の入力を受け付けたものとする。電話番号の入力を受け付けると、ＩＰ電話１０１は、この電話番号に対応するＮＡＰＴＲレコードをＥＮＵＭサーバ１０３に対して問い合わせる（ＳＴ９０１）。以下、適宜、このＮＡＰＴＲレコードの問合せを「ＮＡＰＴＲ問合せ」という。
【００６８】
この場合、ＩＰ電話１０１は、まず、オペレータが入力した「０５０１２３４１１１１」を国番号付きのＥ．１６４番号である「＋８１−５−０１２３４１１１１」に変換し、先頭の＋と数字を残して「＋８１５０１２３４１１１１」とする。そして、数字以外の文字を抹消して数字間にドットを挿入して「８．１．５．０．１．２．３．４．１．１．１．１」とする。次に、数字を逆順にして最後に文字列．ｅ１６４．ａｒｐａを追加する。これにより、ドメイン名である「１．１．１．１．４．３．２．１．０．５．１．８．ｅ１６４．ａｒｐａ」を得て、この文字列に対応するＮＡＰＴＲレコードを問い合わせる。
【００６９】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０１に返送する（ＳＴ９０２）。以下、適宜、このＮＡＰＴＲレコードを含む応答を「ＮＡＰＴＲ応答」という。この場合、ＥＮＵＭサーバ１０３は、図６に示すＮＡＰＴＲレコードのうち、最上段のＮＡＰＴＲレコードを検索し、当該ＮＡＰＴＲレコードを含む応答をＩＰ電話１０１に返信する。
【００７０】
ＮＡＰＴＲ応答を受け付けると、ＩＰ電話１０１は、ＳＩＰプロトコルに対応可能である旨を示すＮＡＰＴＲレコードに指定されたＵＲＩ「ｔａｒｏ＠ｔｏｋｙｏ．ｓｉｐ．ｊｐ」に対応するＩＰアドレスをＤＮＳサーバ１０４に問い合わせる（ＳＴ９０３）。以下、適宜、このＩＰアドレスの問合せを「ＩＰアドレス問合せ」という。
【００７１】
ＩＰアドレス問合せを受け付けると、ＤＮＳサーバ１０４は、当該ＵＲＩに対応するＩＰアドレスを検索し、当該ＩＰアドレスを含むＩＰアドレス応答をＩＰ電話１０１に返信する（ＳＴ９０４）。この場合、ＤＮＳサーバ１０４は、図７に示す第１番目のＩＰアドレス「１９２．１６８．１．１」を検索し、当該ＩＰアドレスを含む応答をＩＰ電話１０１に返信する。以下、適宜、このＩＰアドレスの含む応答を「ＩＰアドレス応答」という。
【００７２】
ＩＰアドレス応答を受け付けると、ＩＰ電話１０１は、ＩＰ電話１０２の電話番号のうち、ユーザから指定された電話番号に割り当てられたＩＰアドレスを認識する。そして、ＩＰ電話１０１は、そのＩＰアドレスに対して「ＩＮＶＩＴＥ」メッセージを送出する（ＳＴ９０５）。
【００７３】
ここで、ＩＰ電話１０１からＩＰ電話１０２に送出される「ＩＮＶＩＴＥ」メッセージの内容の一例について説明する。
【００７４】
図１０は、ＩＰ電話１０１からＩＰ電話１０２に送出される「ＩＮＶＩＴＥ」メッセージの内容の一例について示す図である。
【００７５】
同図に示すように、「ＩＮＶＩＴＥ」メッセージは、第３行目に示すようにＦｒｏｍヘッダを含む一方、第４行目に示すようにＴｏヘッダを含んでいる。Ｆｒｏｍヘッダには、発信元であるＩＰ電話１０１の電話番号に対応するＵＲＩ「ｙｏｓｈｉｋｏ＠ｔｏｋｙｏ．ｓｉｐ．ｊｐ」が記述されている。また、Ｔｏヘッダには、発信先であるＩＰ電話１０２の電話番号に対応するＵＲＩ「ｔａｒｏ＠ｔｏｋｙｏ．ｓｉｐ．ｊｐ」が記述されている。なお、Ｆｒｏｍヘッダ及びＴｏヘッダに記述される内容は、特に同図に示す内容に限定されない。
【００７６】
ＩＰ電話１０１から「ＩＮＶＩＴＥ」メッセージを受信すると、ＩＰ電話１０２は、Ｔｏヘッダに指定されたＵＲＩから発信先の電話番号として指定された電話番号（以下、「着信対象番号」という）を取得する。具体的には、Ｔｏヘッダに指定されたＵＲＩに応じてＦＲＯＭ２０５に格納されたテーブル上の電話番号を検索することで、着信対象番号を取得する。ここでは、Ｔｏヘッダに指定されたＵＲＩ「ｔａｒｏ＠ｔｏｋｙｏ．ｓｉｐ．ｊｐ」に応じて電話番号「０５０１２３４１１１１」が着信対象番号として取得される。
【００７７】
そして、ＩＰ電話１０２は、電話番号の入力を受けたＩＰ電話１０１と同様の要領で、この着信対象番号に対応するＮＡＰＴＲレコードをＥＮＵＭサーバ１０３に対して問い合わせる（ＳＴ９０６）。すなわち、ＩＰ電話１０２は、まず、「ＩＮＶＩＴＥ」メッセージに基づいて取得した「０５０１２３４１１１１」を国番号付きのＥ．１６４番号である「＋８１−５−０１２３４１１１１」に変換し、先頭の＋と数字を残して「＋８１５０１２３４１１１１」とする。そして、数字以外の文字を抹消して数字間にドットを挿入して「８．１．５．０．１．２．３．４．１．１．１．１」とする。次に、数字を逆順にして最後に文字列．ｅ１６４．ａｒｐａを追加する。これにより、ドメイン名である「１．１．１．１．４．３．２．１．０．５．１．８．ｅ１６４．ａｒｐａ」を得て、この文字列に対応するＮＡＰＴＲレコードを問い合わせる。
【００７８】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０２に返信する（ＳＴ９０７）。この場合、ＥＮＵＭサーバ１０３は、ＳＴ９０２における処理と同様に、図６に示すＮＡＰＴＲレコードのうち、最上段のＮＡＰＴＲレコードを検索し、当該ＮＡＰＴＲレコードを含むＮＡＰＴＲ応答をＩＰ電話１０２に返信する。
【００７９】
ＮＡＰＴＲ応答を受け付けると、ＩＰ電話１０２は、ｈｔｔｐプロトコルに対応可能である旨を示すＮＡＰＴＲレコードに指定されたＵＲＩ「／／ｗｗｗ．ｔｏｋｙｏ．ｓｉｐ．ｃｏｍ／ｕｓｅｒｔａｒｏ．ｈｔｍｌ」に基づいてＷｅｂサーバ１０５にアクセスし、着信音情報を要求する（ＳＴ９０８）。
【００８０】
この着信音情報の要求を受けると、Ｗｅｂサーバ１０５において、対応する着信音情報が検索され、その着信音情報がＩＰ電話１０２に返送される（ＳＴ９０９）。この場合、Ｗｅｂサーバ１０５は、図８に示すデータのうち、着信音情報として「展覧会の絵」を返送する。
【００８１】
着信音情報を取得すると、ＩＰ電話１０２は、取得した着信音情報を、全ての子機１０７〜１０９に対して送出する（ＳＴ９１０）。着信音情報を全ての子機１０７〜１０９に送出した後、ＩＰ電話１０２及び全ての子機１０７〜１０９において、取得した着信音を着信音として設定する処理（以下、「着信音設定処理」という）を行う（ＳＴ９１１）。この場合、先に取得された「展覧会の絵」が着信音として設定される。
【００８２】
着信音設定処理が適切に行われると、ＩＰ電話１０２及び全ての子機１０７〜１０９において呼び出し音が鳴動する。この場合、ＩＰ電話１０２及び全ての子機１０７〜１０９においてにおいて「展覧会の絵」が鳴動する。また、この呼び出し音の鳴動に並行してＩＰ電話１０２からＩＰ電話１０１に対して「１８０Ｒｉｎｇｉｎｇ」メッセージが送出される（ＳＴ９１２）。
【００８３】
鳴動音に応じてＩＰ電話１０２又はいずれかの子機（１０７〜１０９）でオフフックが検出されると、ＩＰ電話１０２からＩＰ電話１０１に対して接続許可を示す「２００ＯＫ」メッセージが送出される（ＳＴ９１３）。図９においては、子機１０８でオフフックが検出された場合について示している。
【００８４】
「２００ＯＫ」メッセージを受信すると、ＩＰ電話１０１からＩＰ電話１０２に対して「ＡＣＫ」メッセージが送出される（ＳＴ９１４）。この「ＡＣＫ」メッセージをＩＰ電話１０２が受信すると、ＩＰ電話１０１とＩＰ電話１０２との間で通話可能状態となる。その後、実際にＩＰ電話１０１から音声が出力され、通話が行われる。このようにしてＩＰ電話１０１がＩＰ電話１０２と通話を行うまでの動作が行われる。
【００８５】
図１１は、図９に示すシーケンスにおける着信側のＩＰ電話１０２の動作を説明するためのフロー図である。
【００８６】
ＩＰ電話１０２は、待機状態において、ＩＰ網１０６を介した「ＩＮＶＩＴＥ」メッセージの受信を監視している（ＳＴ１１０１）。そして、「ＩＮＶＩＴＥ」メッセージを受信した場合には、上述の要領により「ＩＮＶＩＴＥ」メッセージのＴｏヘッダの記述から着信対象番号を取得する（ＳＴ１１０２）。
【００８７】
そして、着信対象番号を取得したならば、ＩＰ電話１０２は、この着信対象番号に対応するＮＡＰＴＲレコードをＥＮＵＭサーバ１０３に対して問い合わせる（ＳＴ１１０３）。この問合せに応じてＥＮＵＭサーバ１０３からＮＡＰＴＲ応答が返送されてくるので、ＩＰ電話１０２は、このＮＡＰＴＲ応答を受信する（ＳＴ１１０４）。
【００８８】
ＮＡＰＴＲ応答を受信すると、ＩＰ電話１０２は、このＮＡＰＴＲ応答に含まれるＮＡＰＴＲレコードのうち、ｈｔｔｐプロトコルに対応可能である旨を示すＮＡＰＴＲレコードに指定されたＵＲＩ（ＵＲＬ）に基づいてＷｅｂサーバ１０５にアクセスし、着信音情報を要求する（ＳＴ１１０５）。この要求に応じてＷｅｂサーバ１０５から着信音情報が返送されてくるので、ＩＰ電話１０２は、この着信音情報を受信する。これにより、ＩＰ電話１０２は、着信音情報を取得する（ＳＴ１１０６）。
【００８９】
着信音情報を取得した後、ＩＰ電話１０２は、その着信音情報を、全ての子機１０７〜１０９に対して送出する（ＳＴ１１０７）。着信音情報を全ての子機１０７〜１０９に送出した後、ＩＰ電話１０２は、着信音設定処理を行う（ＳＴ１１０８）。そして、着信音設定処理を行った後、呼び出し音を鳴動する（ＳＴ１１０９）。ＩＰ電話１０２における着信音設定処理と同じタイミングで子機１０７〜１０９において着信音設定処理が行われた後、子機１０７〜１０９においても呼び出し音が鳴動する。
【００９０】
呼び出し音を鳴動すると共に、ＩＰ電話１０２は、「１８０Ｒｉｎｇｉｎｇ」メッセージを送出している。この「１８０Ｒｉｎｇｉｎｇ」メッセージを送出している間、ＩＰ電話１０２は、ＩＰ電話１０２におけるユーザからのオフフック、並びに、子機１０７〜１０９におけるユーザからのオフフックに応じて出力される信号を受け付けたかを判断する（ＳＴ１１１０）。なお、オフフックを受け付けるまではＳＴ１１１０の処理を継続する。
【００９１】
オフフックを受け付けた場合には、ＩＰ電話１０２は、発信側のＩＰ電話１０１に対して接続許可を示す「２００ＯＫ」メッセージを送出する。そして、この「２００ＯＫ」に応じてＩＰ電話１０１から送出される「ＡＣＫ」メッセージを受け取ると、ＩＰ電話１０２は、通話処理を行う（ＳＴ１１１１）。
【００９２】
通話処理においては、ＩＰ電話１０１から送出される音声データの出力を行うと共に、ＩＰ電話１０２は、ＩＰ電話１０２におけるユーザからのオンフック、並びに、子機１０７〜１０９におけるユーザからのオンフックに応じて出力される信号を受け付けたか判断する（ＳＴ１１１２）。そして、オンフックを受け付けたならば、ＩＰ電話１０２は、通話処理を終了する。なお、オンフックを受け付けるまではＳＴ１１１２の処理を継続する。
【００９３】
このように本実施の形態に係るＩＰ電話システムによれば、着信側のＩＰ電話１０２に複数の電話番号を割り当てておき、発信側のＩＰ電話１０１から電話番号を指定して発信する。そして、この電話番号に対応するＮＡＰＴＲ応答を受信した後、「ＩＮＶＩＴＥ」メッセージを着信側のＩＰ電話１０２に送出する。着信側のＩＰ電話１０２においては、この「ＩＮＶＩＴＥ」メッセージから着信対象番号を取得する。そして、この着信対象番号に対応するＮＡＰＴＲ応答を受信した後、Ｗｅｂサーバ１０５に対して着信音情報を要求する。着信音情報が返送されたならば、全ての子機１０７〜１０９に対して着信音情報を送出した後、ＩＰ電話１０２及び全ての子機１０７〜１０９において着信音設定処理を行い、Ｗｅｂサーバ１０５から取得した着信音を鳴動する。これにより、着信側のＩＰ電話１０２及び全ての子機１０７〜１０９において、発信側のＩＰ電話１０１が指定した電話番号に応じた着信音が鳴動する。このため、ＩＰ電話１０２のユーザは、着信音を判断して宛先となるユーザを識別することができるので、電話を取る前に宛先となるユーザを識別することができる。
【００９４】
また、従来、発信側で特定した電話番号に応じて特定の子機において着信音を鳴動させる電話システムが提案されている。しかし、この電話システムにおいては、宛先となるユーザが、その鳴動している子機のある場所まで移動しなければ電話に応答することができない。このような電話システムに対し、本実施の形態に係るＩＰ電話システムにおいては、着信側のＩＰ電話１０２に接続された全ての子機１０７〜１０９で発信側のＩＰ電話１０１で指定された電話番号に応じた着信音が鳴動する。このため、宛先となるユーザは、全ての子機１０７〜１０９で電話に応答することができる。この結果、より利便性に優れたＩＰ電話システムを提供することができる。
【００９５】
特に、本実施の形態に係るＩＰ電話システムにおいては、着信側のＩＰ電話１０２からの要求に応じて、ｈｔｔｐプロトコルに従って着信音情報がＷｅｂサーバ１０５から応答される。したがって、ｈｔｔｐプロトコルに従って通信制御を行うことで着信音情報を取得することができる。
【００９６】
また、本実施の形態に係るＩＰ電話システムにおいては、着信側のＩＰ電話１０２は、受信した「ＩＮＶＩＴＥ」メッセージの記述に基づいて着信対象番号を取得する。具体的には、「ＩＮＶＩＴＥ」メッセージに記述されたＵＲＩに対応する電話番号を着信対象番号として取得する。このため、ＳＩＰプロトコルに従った通信制御を行う過程で着信対象番号を取得することができる。
【００９７】
なお、本実施の形態においては、ＩＰ網１０６上にＤＮＳサーバ１０４を設け、発信側のＩＰ電話がＤＮＳサーバ１０４にＩＰアドレスを問い合わせ、返送されたＩＰアドレスに「ＩＮＶＩＴＥ」メッセージを送出する場合について示している。しかし、これに限定されず、ＩＰ網１０６上にＳＩＰサーバとして機能するＣＡ（Call Agent）を設け、宛先端末の電話番号を指定して「ＩＮＶＩＴＥ」メッセージを送出するようにしてもよい。
【００９８】
また、本実施の形態においては、「ＩＮＶＩＴＥ」メッセージのＦｒｏｍヘッダ及びＴｏヘッダにＵＲＩが記述される例について説明している。しかし、これに限定されず、これらに電話番号そのものを記述するようにしてもよい。この場合には、その電話番号を着信対象番号として抽出することで、ＦＲＯＭ２０５内のテーブルを参照して着信対象番号を取得する処理を省略することができる。
【００９９】
さらに、本実施の形態においては、着信側のＩＰ電話１０２がｈｔｔｐプロトコルに従ってＷｅｂサーバ１０５から着信音情報を取得する場合について説明している。しかし、着信音情報を取得する手法としては、ｈｔｔｐプロトコルに従ってＷｅｂサーバ１０５から取得する場合に限定されない。例えば、ＬＤＡＰ（Lightweight Directory Access Protocol）プロトコルやＦＴＰ（File Transfer Protocol）プロトコルを用いて別途用意したデータベースサーバから着信音情報を取得するようにしてもよい。この場合にも、本実施の形態と同様の効果を得ることが可能である。
【０１００】
ところで、以上においては、着信側のＩＰ電話１０２がＷｅｂサーバ１０５から着信音情報を取得する場合について説明している。しかし、予め着信側のＩＰ電話１０２に、各電話番号に対応する着信音情報を登録しておくようにしても、本実施の形態と同様の効果を得ることが可能である。以下、このような構成を着信側のＩＰ電話で採用した場合の実施の形態について説明する。
【０１０１】
図１２は、本実施の形態の変形例に係るＩＰ電話１０２の構成を示すブロック図である。
【０１０２】
同図に示すＩＰ電話１０２は、ＦＲＯＭ２０５の代わりに、ＩＰ電話１０２に割り当てられた電話番号に対応する着信音情報を登録するテーブル（以下、「着信音情報テーブル」という）を有する点において、図２に示すＩＰ電話１０２と相違する。なお、ＦＲＯＭ２０５に格納されていたアドレス帳データは、着信音情報テーブルに登録されているものとする。また、図１２に示すＩＰ電話１０２は、ＩＰ電話制御部がＷｅｂサーバ１０５に関連する制御を行う機能を有しない点及び着信音情報テーブル内の着信音情報に応じて着信音を制御する機能を有する点で図２に示すＩＰ電話１０２と相違する。なお、図１２において、図２と同一の符号を付した構成については同様の機能を有するものとし、その説明を省略する。
【０１０３】
ＩＰ電話制御部１２０１は、Ｗｅｂサーバ１０５へのアクセス制御及びＷｅｂサーバ１０５が提供するＨＴＭＬ文書の閲覧制御を有しない点を除き、図２に示すＩＰ電話制御部２０１と同様の機能を有する。
【０１０４】
また、ＩＰ電話制御部１２０１は、ＩＰ網１０６を介して発信側のＩＰ電話１０１から特定されたＵＲＩに対応する電話番号を判断し、当該電話番号に応じて着信音を制御する機能を有する。具体的には、ＩＰ電話制御部１２０１は、発信側のＩＰ電話１０１から特定されたＵＲＩに応じて着信音情報テーブル１２０２に登録された電話番号を検索し、その電話番号に対応する着信音に応じて着信音を設定することで、着信音を制御する。
【０１０５】
図１３は、着信音情報テーブル１２０２に登録されるデータの一例を示す図である。同図においては、ＩＰ電話１０２に２つの電話番号が割り当てられた場合の一例について示している。
【０１０６】
着信音情報テーブル１２０２には、ＩＰ電話１０２に割り当てられた各電話番号に対応づけてＵＲＩ、ユーザ名及び着信音（着信メロディ）が登録されている。同図においては、電話番号「０５０１２３４１１１１」に対応づけてＵＲＩ「ｔａｒｏ＠ｔｏｋｙｏ．ｓｉｐ．ｊｐ」、ユーザ名「ｔａｒｏ」及び着信メロディ「展覧会の絵」が登録されている。また、電話番号「０５０１２３４２２２２」に対応づけてＵＲＩ「ｈａｎａｋｏ＠ｔｏｋｙｏ．ｓｉｐ．ｊｐ」、ユーザ名「ｈａｎａｋｏ」及び着信メロディ「ポロネーズ」が登録されている。さらに、電話番号「０５０１２３４３３３３」に対応づけてＵＲＩ「ｊｉｒｏ＠ｔｏｋｙｏ．ｓｉｐ．ｊｐ」、ユーザ名「ｊｉｒｏ」及び着信メロディ「行進曲」が登録されている。
【０１０７】
図１４は、本実施の形態の変形例に係るＥＮＵＭサーバ１０３のＤＢ５０３に登録されたＮＡＰＴＲレコードの一例を示す図である。同図においては、電話番号「０５０１２３４１１１１」、「０５０１２３４２２２２」及び「０５０１２３４３３３３」から得られるドメイン名に対応するＮＡＰＴＲレコードが登録された場合について示している。
【０１０８】
同図においては、電話番号「０５０１２３４１１１１」から得られるドメイン名「１．１．１．１．４．３．２．１．０．５．１．８．ｅ１６４．ａｒｐａ」に対してＵＲＩ「ｔａｒｏ＠ｔｏｋｙｏ．ｓｉｐ．ｊｐ」が対応付けられている。また、電話番号「０５０１２３４２２２２」から得られるドメイン名「２．２．２．２．４．３．２．１．０．５．１．８．ｅ１６４．ａｒｐａ」に対してＵＲＩ「ｈａｎａｋｏ＠ｔｏｋｙｏ．ｓｉｐ．ｊｐ」が対応付けられている。さらに、電話番号「０５０１２３４３３３３」から得られるドメイン名「３．３．３．３．４．３．２．１．０．５．１．８．ｅ１６４．ａｒｐａ」に対してＵＲＩ「ｊｉｒｏ＠ｔｏｋｙｏ．ｓｉｐ．ｊｐ」が対応付けられている。
【０１０９】
次に、本実施の形態の変形例に係るＩＰ電話システムにおいて、ＩＰ電話１０１がＩＰ電話１０２と通話を行うまでの動作について、図１５に示すシーケンス図を用いて説明する。図１５において、図９と同一の処理については同一の符号を付し、その説明を省略する。
【０１１０】
なお、かかる動作を説明する前提として、ＥＮＵＭサーバ１０３のＤＢ５０３には図１４に示すＮＡＰＴＲレコードが登録され、ＤＮＳサーバ１０４のＤＢには図７に示すデータが登録されているものとする。また、ＩＰ電話１０２には、電話番号として「０５０１２３４１１１１」、「０５０１２３４２２２２」及び「０５０１２３４３３３３」が割り当てられているものとする。
【０１１１】
本実施の形態の変形例に係るＩＰ電話システムにおいては、着信側のＩＰ電話１０２が図９に示す「ＩＮＶＩＴＥ」メッセージを受信した後、Ｗｅｂサーバ１０５から着信音情報を取得することなく着信音情報を子機１０７〜１０９に送出し、着信音設定処理を行う点、並びに、図９に示すＳＴ９０６〜ＳＴ９０９の処理を行わない点において、本実施の形態に係るＩＰ電話システムと相違する。
【０１１２】
具体的には、図１５に示すように、ＳＴ９０５でＩＰ電話１０１から「ＩＮＶＩＴＥ」メッセージを受信すると、ＩＰ電話１０２は、そのＴｏヘッダに指定されたＵＲＩを認識する。なお、ここでは「ＩＮＶＩＴＥ」メッセージとして、図１０に示す「ＩＮＶＩＴＥ」メッセージが送出されているものとする。このため、ＩＰ電話１０２は、Ｔｏヘッダに指定されたＵＲＩ「ｔａｒｏ＠ｔｏｋｙｏ．ｓｉｐ．ｊｐ」を認識する。そして、認識したＵＲＩに対応する着信音情報を着信音情報テーブル１２０２から取得する。その後、その着信音情報を全ての子機１０７〜１０９に対して送出し（ＳＴ１５０１）、着信音設定処理を行うと共に子機１０７〜１０９においても着信音設定処理を行わせる（ＳＴ１５０２）。着信音設定処理を行った後、ＩＰ電話１０２及び子機１０７〜１０９は、呼び出し音を鳴動する。ここでは、ＩＰ電話１０２及び子機１０７〜１０９において「展覧会の絵」が着信音情報として取得され、この「展覧会の絵」が鳴動する。
【０１１３】
図１６は、図１５に示すシーケンスにおける着信側のＩＰ電話１０２の動作を説明するためのフロー図である。図１６において、図１１と同一の処理については同一の符号を付し、その説明を省略する。
【０１１４】
本実施の形態の変形例に係るＩＰ電話システムの着信側のＩＰ電話１０２においては、ＳＴ１１０１で「ＩＮＶＩＴＥ」メッセージを受信すると、Ｔｏヘッダに着信対象として指定されたＵＲＩ（以下、「着信対象ＵＲＩ」という）を認識する（ＳＴ１６０１）。そして、ＩＰ電話１０２は、認識した着信対象ＵＲＩに対応する着信音情報を着信音情報テーブル１２０２から取得する（ＳＴ１６０２）。このようにして着信音情報を取得したならば、本実施の形態と同様に、ＳＴ１１０７〜ＳＴ１１１２の処理を経て通話処理を終了する。
【０１１５】
このように本実施の形態の変形例に係るＩＰ電話システムによれば、着信側のＩＰ電話１０２に複数の電話番号を割り当てておき、発信側のＩＰ電話１０１から電話番号を指定して発信する。そして、この電話番号に対応するＮＡＰＴＲ応答を受信した後、「ＩＮＶＩＴＥ」メッセージを着信側のＩＰ電話１０２に送出する。着信側のＩＰ電話１０２においては、この「ＩＮＶＩＴＥ」メッセージから着信対象ＵＲＩを認識する。そして、着信対象ＵＲＩに対応する着信音情報を着信音情報テーブル１２０２から取得する。着信音情報を取得したならば、全ての子機１０７〜１０９に対して着信音情報を送出した後、ＩＰ電話１０２及び全ての子機１０７〜１０９において着信音設定処理を行い、着信音情報テーブル１２０２から取得した着信音を鳴動する。これにより、着信側のＩＰ電話１０２において、発信側のＩＰ電話１０１が指定した電話番号に応じた着信音が鳴動する。このため、ＩＰ電話１０２のユーザは、着信音を判断して宛先となるユーザを識別することができるので、電話を取る前に宛先となるユーザを識別することができる。
【０１１６】
なお、図１６に示すフローにおいては、ＳＴ１６０１で「ＩＮＶＩＴＥ」メッセージに記述された着信対象ＵＲＩを認識し、ＳＴ１６０２で着信対象ＵＲＩに対応する着信音を着信音情報テーブル１２０２から取得して着信音設定処理を行っている。しかし、「ＩＮＶＩＴＥ」メッセージの記述に基づいて着信音設定処理を行う場合の制御についてはこれに限定されない。例えば、「ＩＮＶＩＴＥ」メッセージに記述された着信対象ＵＲＩの「＠」マーク前に指定されたユーザ名を認識し、そのユーザ名に対応する着信音を着信音情報テーブル１２０２から取得して着信音設定処理を行うようにしてもよい。このように変更した場合においても、本実施の形態と同様の効果を得ることが可能である。
【０１１７】
また、本実施の形態に係るＩＰ電話システムにおいて、音声とは人の話す声に限らず音一般、音声帯域に変調されたモデム信号、ＦＡＸ信号であっても構わない。また、電話機とはファクシミリ装置であっても構わない。
【０１１８】
さらに、本実施の形態に係るＩＰ電話システムにおいては、ＩＰ電話は、単体の装置として存在する場合について説明しているが、これに限定されない。すなわち、接続される通常の電話装置をＩＰ電話として機能させる機能を有する制御アダプタに、通常の電話装置を接続してＩＰ電話を構成してもよい。なお、通常の電話装置とは、ＩＰ網１０６を介して音声通話をする機能を有しない電話装置のことをいうものとする。
【０１１９】
さらに、以上の説明におけるＩＰ電話は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【産業上の利用可能性】
【０１２０】
本発明に係るＩＰ電話システム、ＩＰ電話装置及び宛先ユーザ識別方法によれば、電話を取る前に宛先となるユーザを識別することができ、ユーザにとって利便性に優れたＩＰ電話システムを提供できる点で有用である。
【図面の簡単な説明】
【０１２１】
【図１】本発明の一実施の形態に係るＩＰ電話システムが適用されるネットワークの構成を示す図
【図２】上記実施の形態に係るＩＰ電話システムを構成するＩＰ電話の構成を示すブロック図
【図３】上記実施の形態に係るＩＰ電話のＦＲＯＭに格納されるテーブルの一例を示す図
【図４】上記実施の形態に係るＩＰ電話の外観を示す正面図
【図５】上記実施の形態に係るＥＮＵＭサーバの代表的な構成を示すブロック図
【図６】上記実施の形態に係るＥＮＵＭサーバのＤＢに登録されたＮＡＰＴＲレコードの一例を示す図
【図７】上記実施の形態に係るＤＮＳサーバのＤＢに登録されたデータの一例を示す図
【図８】上記実施の形態に係るＷｅｂサーバのＤＢに登録されたデータの一例を示す図
【図９】上記実施の形態に係るＩＰ電話システムにおいて、発信側のＩＰ電話が着信側のＩＰ電話と通話を行うまでの動作について説明するためのシーケンス図
【図１０】上記実施の形態に係るＩＰ電話システムにおいて、発信側のＩＰ電話から着信側のＩＰ電話に送出される「ＩＮＶＩＴＥ」メッセージの内容の一例について示す図
【図１１】図９に示すシーケンスにおける着信側のＩＰ電話の動作を説明するためのフロー図
【図１２】上記実施の形態の変形例に係るＩＰ電話システムのＩＰ電話の構成を示すブロック図
【図１３】上記実施の形態の変形例に係るＩＰ電話の着信音情報テーブルに登録されるデータの一例を示す図
【図１４】上記実施の形態の変形例に係るＥＮＵＭサーバのＤＢに登録されたＮＡＰＴＲレコードの一例を示す図
【図１５】上記実施の形態の変形例に係るＩＰ電話システムにおいて、発信側のＩＰ電話が着信側のＩＰ電話と通話を行うまでの動作について説明するためのシーケンス図
【図１６】図１５に示すシーケンスにおける着信側のＩＰ電話の動作を説明するためのフロー図
【符号の説明】
【０１２２】
１０１，１０２  ＩＰ電話装置（ＩＰ電話）
１０３  ＥＮＵＭサーバ
１０４  ＤＮＳサーバ
１０５  Ｗｅｂサーバ
１０６  ＩＰ網
１０７〜１０９  子機
２０１，１２０１  ＩＰ電話制御部
２０６  音声入出力部
２０９  子機インターフェース（Ｉ／Ｆ）部
５０３  データベース（ＤＢ）
１２０２  着信音情報テーブル
【図１】
2006050268.tif 000003
【図２】
2006050268.tif 000004
【図３】
2006050268.tif 000005
【図４】
2006050268.tif 000006
【図５】
2006050268.tif 000007
【図６】
2006050268.tif 000008
【図７】
2006050268.tif 000009
【図８】
2006050268.tif 000010
【図９】
2006050268.tif 000011
【図１０】
2006050268.tif 000012
【図１１】
2006050268.tif 000013
【図１２】
2006050268.tif 000014
【図１３】
2006050268.tif 000015
【図１４】
2006050268.tif 000016
【図１５】
2006050268.tif 000017
【図１６】
2006050268.tif 000018